(57)【要約】本発明はヘア染色用具に関する。本発明によれば、胴体から蓋体形状の染色液排出口を分離し、開口部を通して必要な量の染色液を充填した後、染色液排出口を再び結合し、次いで、胴体の収納口に第１永久磁石を結合した後、取っ手を把持してバイブレータを作動させながら染色液排出口に形成された櫛を利用して頭髪を梳かせば、胴体内の染色液が数個の永久磁石から発生する引力と斥力及びバイブレータの振動力により櫛歯に穿孔された排出孔から自然に排出され頭髪にのみ塗布されることになる。従って、頭髪の染色時、染色液が使用者の皮膚には付着しないため、染色液の皮膚への付着に因る皮膚疾患が防止でき、また染色液が飛散しないため、周辺を汚染させること無く簡便に染色を行うことができる。
2005516653.tif 000002
【特許請求の範囲】
【請求項１】
少なくとも１人の頭髪を染色し得る量の染色液が収容される空間部１４を形成するように中空の筒形状を有し、その一側開口部には染色液排出口との結合部１１が形成され、他側部には第１永久磁石５が着脱自在に設置される磁石収納口１２が形成された胴体１と；
前面又は背面には蓋体２１を備えたバッテリ収納部２２を形成され、一側部にはバッテリ９の電源をバイブレータ３のモータ３１に選択的に供給するための電源スイッチ８が設けられ、上記胴体１の底面部に一体として、又は着脱自在に設置される取っ手２と；
上記取っ手２の内部に設置され、バッテリ９からの電源供給があるとき、胴体１に振動力を発生させその内部に設けられた第２永久磁石６の移動を円滑にするバイブレータ３と、
蓋体４１の外側面に数個の櫛歯４２が一定の間隔で突設され、上記胴体１の結合部１１に開閉可能に結合される染色液排出口４と；
上記胴体１の磁石収納口１２に着脱自在に設けられ、上記胴体１の内部に設けられる第２永久磁石６に斥力を発生させる第１永久磁石５と；
上記胴体１の内部で上記第１永久磁石５の斥力と第３永久磁石７の引力及びバイブレータ３の振動力により、胴体１の内部に収容された染色液を染色液排出口４側に自然に加圧するためのピストンタイプの第２永久磁石６と；
上記染色液排出口４の内面に、第２永久磁石６に引力を発生させるように設けられ、上記第２永久磁石６の加圧力を増進するための引力発生用の第３永久磁石７とで構成されたことを特徴とするヘア染色用具。
【請求項２】
上記胴体１の他側底部には空気流入孔１３を穿孔し、上記電源スイッチ８の作動レバー８１の上方部には上記空気流入孔を選択的に開口させるための作動バー８２を一体に形成したことを特徴とする請求項１に記載のヘア染色用具。
【請求項３】
上記染色液排出口４の蓋体４１の外側面に突設された数個の櫛歯４２には、それぞれ染色液排出孔４３が備えられたことを特徴とする請求項１に記載のヘア染色用具。
【発明の詳細な説明】
【技術分野】  本発明はヘア染色用具に関し、より詳しくは、所定容積の容器内に収容された染色液が永久磁石の引力及び斥力とバイブレータの振動力によって櫛歯に形成された排出孔を通して自然に排出されるようにすることで、頭髪の染色時に、染色液が使用者の頭皮には付着せず、所望部位の髪の毛にのみ満遍なく塗布されるようにしたものである。
【背景技術】  一般に、髪の毛を染色する際、ブラシ又は櫛などに、染毛剤と中和剤とを一定の比率で混合してできた染色液を適当な量ずつ付けた後、別の櫛を利用して髪の毛を少しずつ捲りながら染色液の付いた櫛などで髪を梳すようにして染色を行う。
しかし、上記のように染色液を櫛などに付けて染色を行うときには、染色液が使用者の頭皮に付着して皮膚の汚染は勿論、人体に有害な染色液に因り皮膚の損傷をもたらすという問題点があった。
また、上記のように染色液をブラシまたは櫛などに付けて髪を梳す方法により染色をする場合は、染色液の一部が使用者の服や周辺に飛散して使用者自身又は周辺が汚染されるという問題点もあった。
【発明の開示】
本発明は、上記した従来の問題点を解消するために案出されたもので、その目的は、取っ手が一体となった所定容積の筒型容器の胴体内に染色液を収容し、櫛で髪を梳す方式により、その内部の染色液が永久磁石の引力及び斥力とバイブレータの振動力により櫛歯の形成された排出孔を通して自然に排出されて髪の毛だけに塗布されるようにすることで、頭髪の染色時に、染色液が使用者の皮膚又は周辺に飛散することを防止することにある。
上記した本発明の目的は、次のような構成及び作動により達成することが出来る。
【図面の簡単な説明】図１は本発明によるヘア染色用具の分解斜視図である。図２は本発明によるヘア染色用具の一部を切欠した断面図である。図３は本発明によるヘア染色用具の櫛の一部を示した斜視図である。
【発明を実施するための最良の形態】  以下、添付図面により本発明の技術的構成を詳細に説明する。
図１は本発明によるヘア染色用具の分解斜視図で、図２は本発明によるヘア染色用具の一部を切欠した断面図で、図３は本発明によるヘア染色用具の櫛の一部を示した斜視図である。
これら図によれは、ヘア染色用具の胴体には染色液を収容するための中空の筒型容器がある。中空の容器の胴体１を成形する際、染色作業の途中で再充填する煩雑さを避けるために、その内側空間部１４の体積は少なくとも１人の頭髪を染色し得る量の染色液が収容されるようにする。
胴体１の一側部には開口部を設けて染色液をその内部に円滑に充填し得るようにし、また、以後染色を行うとき、染色液排出口４により上記開口部を閉鎖し得るように染色液排出口４との結合部１１を形成する。また、他側部には斥力発生用の第１永久磁石５を着脱自在に設置し得る磁石収納口１２を形成しておく。
第１永久磁石５を胴体１の他側部に固設せず、着脱自在にした理由は、染色液の充填時のように、直接的な染色行為をしないときには、第１永久磁石５の斥力が第２永久磁石６に作用して胴体の内部に収容されている染色液を開口部側に加圧して外部に流出することを防止するために、胴体１から分離する必要があるからである。
一方、胴体１の他側底部には空気流入孔１３を形成するが、これは染色時に外部の空気が胴体１の内部に流入して第２永久磁石６が胴体１の内部で円滑に移動して染色液が染色液排出口４側に自然に押し出されるようにする為である。
ヘア染色用具の非作動時には、「オフ」状態にあるスイッチ８の作動レバー８１の一側に一体として突設された作動バー８２の端部により、図２に示すように空気流入孔１３が閉鎖状態となるため、仮に胴体１の磁石収納口１２に第１永久磁石５を挿入してその斥力が第２永久磁石６に作用するとしても外部空気の流入が無いため、胴体１内の染色液が染色液排出孔４３を通して外部に排出されることは無い。
また、胴体１の底面部に一体として、或いは、着脱可能に設置された取っ手２の前面又は背面には蓋体２１を備えたバッテリ収納部２２を形成したため、バッテリ９の交換が容易である。
また、取っ手２の一側上端部には、作動レバー８１に作動バー８２が一体に形成された電源スイッチ８を設置することにより、使用者は電源スイッチ８のオン／オフ操作を通して胴体１の空気流入孔１３の開閉及びバイブレータ３を構成しているモータ３１に対してバッテリ９の電源を容易に供給／遮断することができる。
即ち、ヘア染色用具の作動のための電源スイッチ８のオン／オフ操作により上記空気流入孔１３の開閉が決定されることは勿論、バイブレータ３の作動が決定されるが、例えば、電源スイッチ８の作動レバー８１を図上下方に押し下げて「オン」にすると、作動バー８２が胴体１の空気流入孔１３から抜き出されて、空気流入孔１３が開口されると同時に、バッテリ９の電源がバイブレータ３に供給されモータ３１が作動することになる。逆に、ヘア染色用具の作動を中断するために、電源スイッチ８の作動レバー８１を図上上方に押し上げて「オフ」させると、作動バー８２の自由端部が胴体１の空気流入孔１３を自動に閉鎖することになって、空気流入孔１３を閉鎖すると同時にバイブレータ３に供給されていたバッテリ９の電源が遮断される。
一方、バイブレータ３はモータ３１の軸上に偏心回動体３２として構成して、取っ手２の内部に固設することで、電源スイッチ８の「オン」作動によりバッテリ９から電源が供給され振動が発生すれば、この振動が取っ手２と胴体１を通して胴体１内に設けられた第２永久磁石６に伝わって胴体１の内面と第２永久磁石６の外周面との間で発生する摩擦力を相殺して第２永久磁石６が染色液を加圧しながら染色液を染色液排出口４側に円滑に移動させることになる。
また、胴体１の結合部１１を開閉し得る染色液排出口４は蓋体４１の外側面に染色液排出孔４３を備えた数個の櫛歯４２が一定の間隔で突設されているため、ヘア染色用具の取っ手２を把持し電源スイッチ８をオンにした状態で、染色液排出口４の櫛歯４２を利用して頭髪を梳るようにすれば、それぞれの櫛歯４２の端部に穿孔された染色液排出孔４３を通して外部に排出される染色液が、使用者の皮膚には付着せず、髪を梳す速度に応じて頭髪にのみ均一に塗布されることになる。
一方、胴体１の磁石収納口１２に着脱自在に設けられ胴体１内の第２永久磁石６に斥力を発生させる第１永久磁石５の一側面には、指掛け用溝５１が形成されているため、磁石収納口１２に対する着脱の際に、この指掛け用溝５１に指を掛けて容易に着脱することが出来るばかりでなく、第１永久磁石５の磁極方向を全然知らない人もこの指掛け用溝５１が磁石収納口１２の外側に位置するようにした状態で着脱しなければならないため、第２永久磁石６の一面と対向する第１永久磁石５の内面が同一の磁極（即ち、Ｎ極とＮ極、Ｓ極とＳ極）を有することになり、第１及び第２永久磁石５、６の磁気力がそれぞれ斥力として作用することになる。
また、胴体１の内部で第１永久磁石５とは斥力が作用し、第３永久磁石７とは引力が作用する状態で、バイブレータ３の振動により胴体１の内部に収容された染色液が染色液排出口４側に自然に移動しながら加圧力を発生させるピストンタイプの染色液加圧用第２永久磁石６は、基本的に胴体１の内面とその外周面とが密着設置され、これらの隙間を通して染色液が後方部に漏れないようにしているが、胴体１内面との摩擦力を考慮して微細な隙間を有する。
また、染色液排出口４の内面には、第２永久磁石６に引力を発生させるために、第３永久磁石７を設置するが、第１永久磁石５の磁極とは反対の磁極を有するようにして、３つの永久磁石のうち中間位置で移動可能な第２永久磁石６がヘア染色用具の作動初期には第１永久磁石５との斥力により移動し始め、斥力より引力が強くなる時点からは第３永久磁石７との引力により継続的に染色液排出口４側に移動しながら胴体１内の染色液を全て櫛歯４２の染色液排出孔４３を通して外部に自然に排出させる。
本発明のヘア染色用具を利用して頭髪を染色しようとするときには、胴体１から染色液排出口４を分離し、開口部を通して必要な量の染色液を充填した後、染色液排出口４を再び結合する。次いで、胴体１の磁石収納口１２に第１永久磁石５を結合した後、取っ手を把持して電源スイッチ８を「オン」にすれば、空気流入孔１３が開放されると同時にバイブレータ３が作動して胴体１内の染色液が第１乃至第３永久磁石５〜７から発生する引力と斥力及びバイブレータ３の振動により染色液排出口４側に押されて櫛歯に形成された排出孔４３を通して自然に排出されるため、使用者は所望の部位の髪を梳すことで染色液が該当部位の髪の毛にのみ塗布されることになるため、皮膚には勿論周辺にも汚染をもたらすことなく、簡便に頭髪を染色することができる。
以上では、胴体１及び染色液排出口４の蓋体の形状を、四角い箱状にしているが、本発明はこれに限定されるものではなく、円筒状、楕円状、六角形又は八角形の箱状にすることも出来る。特に、円筒状を有することが好適である。胴体１及び染色液排出口４の蓋体４１の形状に対応して、第１乃至第３永久磁石５〜７の形状も同じく変更可能であることは言うまでもない。
【図１】
2005516653.tif 000003
【図２】
2005516653.tif 000004
【図３】
2005516653.tif 000005
【国際調査報告】
2005516653.tif 000006